【手続補正書】
【提出日】平成17年1月19日(2005.1.19)
【手続補正１】
【補正対象書類名】明細書
【補正対象項目名】請求項１３
【補正方法】変更
【補正の内容】
【請求項１３】
一芯の光ファイバを通じて、親局へ複数の上りデータ信号を送信し、かつ親局から複数の下りデータ信号を受信する子局であって、
複数の下り信号および複数の上り信号を一芯の光ファイバを通じて伝送可能にする一対の光合波分波器が、当該一芯の光ファイバの一端と前記親局、他端と当該子局の間にそれぞれ設けられており、
前記親局では、異なる周波数を有する各下り副搬送波を各下りデータ信号で変調し、変調して得られた複数の下り副変調波信号を周波数多重し、周波数多重して得られた周波数多重信号で下り搬送光を変調するような送信処理と、当該子局からの上り変調光を復調し、復調して得られた上り周波数多重信号を周波数分離し、周波数分離して得られた各上り副変調波信号を各上りデータ信号に復調するような受信処理とが行われ、
異なる周波数を有する各上り副搬送波を各上りデータ信号で変調する副変調手段、
前記副変調手段から出力される複数の上り副変調波信号を周波数多重する周波数多重手段、
前記周波数多重手段から出力される上り周波数多重信号で上り搬送光を変調する光変調手段、
前記親局からの下り変調光を復調する光復調手段、および
前記光復調手段から出力される下り周波数多重信号を周波数分離する周波数分離手段、
前記周波数分離手段から出力される各下り副変調波信号を各下りデータ信号に復調する副復調手段を備え、
前記副変調手段が変調しようとする各上り副搬送波の周波数を、前記親局で変調されようとする各下り副搬送波の周波数のいずれとも異ならせたことを特徴とする、子局。
【手続補正２】
【補正対象書類名】明細書
【補正対象項目名】請求項１９
【補正方法】変更
【補正の内容】
【請求項１９】
一芯の光ファイバを通じて、子局へ複数の下りデータ信号を送信し、かつ子局から複数の上りデータ信号を受信する親局であって、
複数の下り信号および複数の上り信号を一芯の光ファイバを通じて伝送可能にする一対の光合波分波器が、当該一芯の光ファイバの一端と当該親局、他端と前記子局の間にそれぞれ設けられており、
前記子局では、異なる周波数を有する各上り副搬送波を各上りデータ信号で変調し、変調して得られた複数の上り副変調波信号を周波数多重し、周波数多重して得られた周波数多重信号で上り搬送光を変調するような送信処理と、当該親局からの下り変調光を復調し、復調して得られた下り周波数多重信号を周波数分離し、周波数分離して得られた各下り副変調波信号を各下りデータ信号に復調するような受信処理とが行われ、
異なる周波数を有する各下り副搬送波を各下りデータ信号で変調する副変調手段、
前記副変調手段から出力される複数の下り副変調波信号を周波数多重する周波数多重手段、
前記周波数多重手段から出力される下り周波数多重信号で下り搬送光を変調する光変調手段、
前記子局からの上り変調光を復調する光復調手段、および
前記光復調手段から出力される上り周波数多重信号を周波数分離する周波数分離手段、
前記周波数分離手段から出力される各上り副変調波信号を各上りデータ信号に復調する副復調手段を備え、
前記副変調手段が変調しようとする各下り副搬送波の周波数を、前記子局で変調されようとする各上り副搬送波の周波数のいずれとも異ならせたことを特徴とする、親局。
【手続補正３】
【補正対象書類名】明細書
【補正対象項目名】０００２
【補正方法】変更
【補正の内容】
【０００２】
【従来の技術】
図６は、従来の双方向光通信システムの概要図である。このシステムでは、各加入者用データ３１ａ〜３１ｎは、交換局（図示せず）内にある光終端装置４６の周波数変換部３２で周波数変換（すなわち副搬送波変調）されたのち、周波数多重部３３により多重化される。そして、この多重信号（電気信号）がＥ／Ｏ３４により光信号に変換され、下り信号４４として光ファイバ３６を通じ加入者端末収容装置４７へ送信される。
【手続補正４】
【補正対象書類名】明細書
【補正対象項目名】０００３
【補正方法】変更
【補正の内容】
【０００３】
加入者端末収容装置４７へ送信された光信号は、Ｏ／Ｅ３９により電気信号（多重信号）に変換されたのち、周波数多重部４１により各ユーザ毎の信号に分離される。そして、周波数変換部４２により各ユーザへ送信される信号に復調され、信号４３ａ〜４３ｎとして各ユーザ（各加入者端末）へ送信される。一方、ユーザから送信される上り信号は、同様に加入者端末収容装置４７の周波数変換部４２で周波数変換されたのち、周波数多重部４１で多重される。そして、この多重信号がＥ／Ｏ４０により信号４５に変換され、前述の下り信号が伝送されたファイバ３６とは別の光ファイバ３７を通じ光終端装置４６へ送信される。
【手続補正５】
【補正対象書類名】明細書
【補正対象項目名】０００４
【補正方法】変更
【補正の内容】
【０００４】
さて、上述したシステムは、下り信号４４および上り信号４５を別々の光ファイバ３６，３７で伝送する二芯双方向システムであり、二芯であるために光ファイバの敷設や管理にかかるコストの増加が問題となっていた。そこで、図７に示すように、上り信号と下り信号とを光送信する際に波長多重し、１本の光ファイバ３７で双方向通信を行うような一芯双方向伝送システムが考案されている。このシステムにおいて上り信号と下り信号の合波および分波は、光ファイバ３７の両端に設けられた１対のＷＤＭカプラ５１，３８により行われる。
【手続補正６】
【補正対象書類名】明細書
【補正対象項目名】０００５
【補正方法】変更
【補正の内容】
【０００５】
【発明が解決しようとする課題】
しかしながら、上記従来の一芯双方向伝送システムでは、例えば、光終端装置４６から送信される下り光信号５４が伝送経路を伝搬する際にどこかで反射が生じ、この反射光が光終端装置４６へ戻ってくることがある。その場合、ＷＤＭカプラ５１の光アイソレーションが十分に確保されていないと、反射戻り光の一部が同じ光終端装置４６の光受信部（Ｏ／Ｅ３５）に漏れ込み、これが加入者端末収容装置４７からの上り光と干渉して、上り信号の誤りを引き起こす。一般に下り信号の方が上り信号に比べて送信パワーが大きいことが多く、そのため、特に上り信号の誤り率の増大が深刻な問題となる。上記従来の一芯双方向伝送システムでは、このような問題を解決するために、ＷＤＭカプラ５１と光受信部（Ｏ／Ｅ３５）との間に所望の波長以外の光信号をカットするＷＤＭフィルタ５０が挿入されており、これが高コスト化の原因となっている。
【手続補正７】
【補正対象書類名】明細書
【補正対象項目名】００１１
【補正方法】変更
【補正の内容】
【００１１】
子局は、親局からの下り変調光を復調し、復調して得られた下り周波数多重信号を周波数分離し、周波数分離して得られた各下り副変調波信号を各下りデータ信号に復調するような受信処理を行う。一方、親局は、子局からの上り変調光を復調し、復調して得られた上り周波数多重信号を周波数分離し、周波数分離して得られた各上り副変調波信号を各上りデータ信号に復調するような受信処理を行う。
【手続補正８】
【補正対象書類名】明細書
【補正対象項目名】００３４
【補正方法】変更
【補正の内容】
【００３４】
第１３の発明は、一芯の光ファイバを通じて、親局へ複数の上りデータ信号を送信し、かつ親局から複数の下りデータ信号を受信する子局であって、
複数の下り信号および複数の上り信号を一芯の光ファイバを通じて伝送可能にする一対の光合波分波器が、当該一芯の光ファイバの一端と親局、他端と当該子局の間にそれぞれ設けられており、
親局では、異なる周波数を有する各下り副搬送波を各下りデータ信号で変調し、変調して得られた複数の下り副変調波信号を周波数多重し、周波数多重して得られた周波数多重信号で下り搬送光を変調するような送信処理と、当該子局からの上り変調光を復調し、復調して得られた上り周波数多重信号を周波数分離し、周波数分離して得られた各上り副変調波信号を各上りデータ信号に復調するような受信処理とが行われ、
異なる周波数を有する各上り副搬送波を各上りデータ信号で変調する副変調手段、
副変調手段から出力される複数の上り副変調波信号を周波数多重する周波数多重手段、
周波数多重手段から出力される上り周波数多重信号で上り搬送光を変調する光変調手段、
親局からの下り変調光を復調する光復調手段、および
光復調手段から出力される下り周波数多重信号を周波数分離する周波数分離手段、
周波数分離手段から出力される各下り副変調波信号を各下りデータ信号に復調する副復調手段を備え、
副変調手段が変調しようとする各上り副搬送波の周波数を、親局で変調されようとする各下り副搬送波の周波数のいずれとも異ならせたことを特徴とする。
【手続補正９】
【補正対象書類名】明細書
【補正対象項目名】００４２
【補正方法】変更
【補正の内容】
【００４２】
第１９の発明は、
一芯の光ファイバを通じて、子局へ複数の下りデータ信号を送信し、かつ子局から複数の上りデータ信号を受信する親局であって、
複数の下り信号および複数の上り信号を一芯の光ファイバを通じて伝送可能にする一対の光合波分波器が、当該一芯の光ファイバの一端と当該親局、他端と子局の間にそれぞれ設けられており、
子局では、異なる周波数を有する各上り副搬送波を各上りデータ信号で変調し、変調して得られた複数の上り副変調波信号を周波数多重し、周波数多重して得られた周波数多重信号で上り搬送光を変調するような送信処理と、当該親局からの下り変調光を復調し、復調して得られた下り周波数多重信号を周波数分離し、周波数分離して得られた各下り副変調波信号を各下りデータ信号に復調するような受信処理とが行われ、
異なる周波数を有する各下り副搬送波を各下りデータ信号で変調する副変調手段、
副変調手段から出力される複数の下り副変調波信号を周波数多重する周波数多重手段、
周波数多重手段から出力される下り周波数多重信号で下り搬送光を変調する光変調手段、
子局からの上り変調光を復調する光復調手段、および
光復調手段から出力される上り周波数多重信号を周波数分離する周波数分離手段、
周波数分離手段から出力される各上り副変調波信号を各上りデータ信号に復調する副復調手段を備え、
副変調手段が変調しようとする各下り副搬送波の周波数を、子局で変調されようとする各上り副搬送波の周波数のいずれとも異ならせたことを特徴とする。
【手続補正１０】
【補正対象書類名】明細書
【補正対象項目名】００５５
【補正方法】変更
【補正の内容】
【００５５】
以上のように、本実施形態では、光終端装置１６と加入者収容装置１７とを一対の光カプラ６，８を介して一芯の光ファイバ７と接続した上で、各下り信号（１ａ〜１ｎ）の副搬送波周波数（ｆ１〜ｆｎ）を異ならせ、かつ各上り信号（１３ａ〜１３ｎ）の副搬送波周波数（ｆｎ+1〜ｆ２ｎ）を異ならせたことにより、複数の加入者端末の収容が可能となる（つまり一芯の光ファイバ７を通じて、複数の上り信号と複数の下り信号とを双方向に伝送することができる）。
【手続補正１１】
【補正対象書類名】図面
【補正対象項目名】図７
【補正方法】変更
【補正の内容】
【図７】
2003244079.tif 000001